(57)【要約】      （修正有）【課題】  水平又は傾斜した下階屋根等の入隅部の底部と、上階壁面等の入隅部を構成する立設する２つの壁面との接合部を、容易に防水することができる施工方法及び乾式防水部材を提供する。【解決手段】  乾式防水部材４は、入隅部の底面に当接する可撓性を有するシート６と、前記可撓性を有するシート６に水密に接合され、前記壁面に当接する合成樹脂シート５とから構成され、前記合成樹脂シート５は、前記可撓性を有するシート６の隣接する辺に沿って、くの字状に折り曲げられて前記可撓性を有するシート６の端部に立設され、この防水部材４の施工に当たり、前記折り曲げられた合成樹脂シートの角部を内方に折り畳むことによって立設部分を低くして、前記壁面と外壁パネル２との間に介挿し、その後、前記折り畳まれた合成樹脂シート５の角部を拡げて、前記入隅部に固定するようにしたことを特徴とする。【選択図】  図２
2006219844.tif 000002
【特許請求の範囲】
【請求項１】
壁面に所定の間隙を存して外壁パネルが設けられた入隅部を乾式防水部材により防水施工する方法であって、
前記乾式防水部材は、入隅部の底面に当接することになる可撓性を有するシートと、前記可撓性を有するシートに水密に接合され、前記壁面に当接することになる合成樹脂シートとから構成され、前記合成樹脂シートは、前記可撓性を有するシートの隣接する辺に沿って、くの字状に折り曲げられて前記可撓性を有するシートの端部に立設されるものであって、この防水部材の施工に当たり、
前記折り曲げられた合成樹脂シートの角部を内方に折り畳むことによって、前記合成樹脂シートの立設部分を低くして、前記壁面と外壁パネルとの間に介挿し、その後、前記入隅部において前記折り畳まれた合成樹脂シートの角部を拡げて、前記入隅部に固定するようにしたことを特徴とする防水施工方法。
【請求項２】
請求項１に記載の防水施工方法に使用される乾式防水部材であって、前記乾式防水部材は、入隅部の底面に当接することになる可撓性を有するシートと、前記可撓性を有するシートに水密に接合され、前記壁面に当接することになる合成樹脂シートとから構成され、前記合成樹脂シートは、前記可撓性を有するシートの隣接する辺に沿って、くの字状に折り曲げられて前記可撓性を有するシートの端部に立設されるものであって、前記合成樹脂シートは、前記くの字状に折り曲げるための折り筋を備えるとともに、前記折れ筋の上部から前記可撓性を有するシート側に向かって開拡する少なくとも１本の折れ筋を備えたことを特徴とする乾式防水部材。
【請求項３】
前記合成樹脂シートのくの字状の折り筋として、前記合成樹脂シートの角部の下端部から上方に向かって開拡する少なくとも２本の折れ溝を設けたことを特徴とする請求項２に記載の乾式防水部材。
【請求項４】
前記合成樹脂シートの幅方向の中央部に、折れ溝を設けるようにしたことを特徴とする請求項２又は３に記載の乾式防水部材。
【発明の詳細な説明】
【技術分野】
【０００１】
本発明は、建築物の防水のための施工方法及び乾式防水部材に関し、詳細には、壁面に所定の間隙を存して外壁パネルが設けられた入隅部を乾式防水部材により防水施工する方法及びその施工に使用される乾式防水部材に関するものである。
【背景技術】
【０００２】
従来の工業化住宅では、柱、外壁パネル等を工場で個々に製作し、これを現場で組み立てるようにしている。
このような住宅では、建築物の水平又は傾斜した下階屋根と、上階壁面との接合部には、図９に示されるように、入隅Ａや出隅Ｂが形成される。前記上階壁面には、通常、外壁パネルが設けられており、前記接合部を防水するためには、下階屋根上面から上階壁面と外壁パネルへと連続する防水材を配置する必要がある。
上記防水材は、現場で外壁パネルを貼り付けた後に設けるようにしているため非常に作業性が悪かった。
【発明の開示】
【発明が解決しようとする課題】
【０００３】
そこで、本発明は、上記従来技術の問題点を解決するためのもので、水平又は傾斜した下階屋根等の入隅部の底部と、上階壁面等の入隅部を構成する立設する２つの壁面との接合部を、確実、且つ、極めて容易に防水することができる施工方法及びこの施工方法に使用される製造コストの低い乾式防水部材を提供することを目的とする。
【課題を解決するための手段】
【０００４】
上記課題を解決するために、本発明者等は鋭意検討の結果、下記の通り解決手段を見出した。
即ち、本発明の施工方法は、請求項１に記載の通り、壁面に所定の間隙を存して外壁パネルが設けられた入隅部を乾式防水部材により防水施工する方法であって、前記乾式防水部材は、入隅部の底面に当接することになる可撓性を有するシートと、前記可撓性を有するシートに水密に接合され、前記壁面に当接することになる合成樹脂シートとから構成され、前記合成樹脂シートは、前記可撓性を有するシートの隣接する辺に沿って、くの字状に折り曲げられて前記可撓性を有するシートの端部に立設されるものであって、この防水部材の施工に当たり、前記折り曲げられた合成樹脂シートの角部を内方に折り畳むことによって、前記合成樹脂シートの立設部分を低くして、前記壁面と外壁パネルとの間に介挿し、その後、前記入隅部において前記折り畳まれた合成樹脂シートの角部を拡げて、前記入隅部に固定するようにしたことを特徴とする。
また、本発明の乾式防水部材は、請求項２に記載の通り、請求項１に記載の防水施工方法に使用される乾式防水部材であって、前記乾式防水部材は、入隅部の底面に当接することになる可撓性を有するシートと、前記可撓性を有するシートに水密に接合され、前記壁面に当接することになる合成樹脂シートとから構成され、前記合成樹脂シートは、前記可撓性を有するシートの隣接する辺に沿って、くの字状に折り曲げられて前記可撓性を有するシートの端部に立設されるものであって、前記合成樹脂シートは、前記くの字状に折り曲げるための折り筋を備えるとともに、前記折れ筋の上部から前記可撓性を有するシート側に向かって開拡する少なくとも１本の折れ筋を備えたことを特徴とする。
また、請求項３に記載の本発明は、請求項２に記載の乾式防水部材において、前記合成樹脂シートのくの字状の折り筋として、前記合成樹脂シートの角部の下端部から上方に向かって開拡する少なくとも２本の折れ溝を設けたことを特徴とする。
また、請求項４に記載の本発明は、請求項２又は３に記載の乾式防水部材において、前記合成樹脂シートの幅方向の中央部に、折れ溝を設けるようにしたことを特徴とする。
【発明の効果】
【０００５】
本発明によれば、乾式防水部材の合成樹脂シートの立設部分が、例えば、のじ板上面と外壁に備えられた外壁パネル下端との間の隙間の高さよりも高い場合であっても、合成樹脂シートの角部を内方に折り畳むことにより、合成樹脂シートの立設部分を低くすることができ、容易に前記間隙から介挿することができる。また、介挿後には、折り畳まれた角部を拡げるだけで、前記隙間の高さよりも、合成樹脂シートの立設部分が高くなるので、充分な防水性能が得られることになる。
また、本発明によれば、乾式防水部材に予め折り筋を設けておくことにより、介挿の際に簡単に折り畳むことが可能となる。
また、合成樹脂シートのくの字状の折り筋として、合成樹脂シートの下端部から上方に向かって開拡する少なくとも２本の折れ筋を設けることにより、複数の入隅部の角部の傾斜角に対応して折れ筋を折って施工することができ、１つの乾式防水部材で入隅部の角部の種々の傾斜角に対応することができる。
また、合成樹脂シートに入隅部の壁面に沿うようにして幅方向の中央部に折れ筋を設けることにより、合成樹脂シートの角部を内方に折り畳んだ際に、この折れ筋から合成樹脂シートを立ち上がりやすくすることができる。更に、また、介挿作業の際に、合成樹脂シートの立設部分の高さを予め、この折れ筋によって決めることもできる。
【発明を実施するための最良の形態】
【０００６】
次に、本発明の乾式防水部材について図面を参照して説明する。
【０００７】
図１は、本発明の施工方法を説明するための入隅部の模式図である。
外壁１，１の表面には所定の間隔を存して外壁パネル２，２が設けられている。そして、のじ板３，３は、図示されるものでは、共に水平に外壁１，１に接合されている。本発明の施工方法では、こののじ板３，３と、外壁１，１との接合部を、図２に示す乾式防水部材４により防水するものである。
図２に示される乾式防水部材４は、所定幅のポリプロピレンシート５を、幅方向に設けられた折り曲げ線７に沿ってくの字状に折り曲げ、ゴムシート６の隣接する辺に沿って糊代５ａで接着剤により接着して、ゴムシート６に対して立設するように形成されている。ポリプロピレンシート５の幅方向のほぼ中央部には折れ筋８が設けられており、この折れ筋８と折り曲げ線７との交点からゴムシート６に向かって下方に開拡するＶ字状の折れ筋９，９が設けられている。
次に、上記乾式防水部材４を、図１に示される入隅部に施工する方法について説明する。
乾式防水部材４の角部を、図３に示すように折れ筋９に沿って内方へ折り畳むことにより、ポリプロピレンシート５の立設する部分を低くし、この状態で、のじ板３，３と外壁１，１に設けられた外壁パネル２，２の下端面との間の間隙（図１の斜線で示される部位）から乾式防水部材４を、壁面１，１と外壁パネル２，２間に介挿させる。その後、図示しないが、前記折り畳まれたポリプロピレンシート５の角部を拡げて、必要に応じて乾式防水部材４を係止等して防水施工が完了する。
尚、上記した例では、のじ板３，３の端縁は、外壁１，１と水平に接合されているが、乾式防水部材４をくの字状に折り曲げて、ゴムシート６に立設させる時に、ゴムシート６に対して折れ筋７の角度を９０°以上にすることで、図４に示されるように、のじ板３，３の端縁が外壁１，１に対して、共に下降するようにして傾斜して接合する場合であっても使用することが可能となる。
【０００８】
次に、本発明の他の実施の形態について説明する。
図５は、本実施の形態の防水施工方法を説明するための入隅部の模式図である。
同図では、のじ板３，３の端縁は、一方の外壁１に対して、水平に接合しており、他方の外壁１に対しては、傾斜して接合されている。また、外壁１，１には所定の間隔を存して外壁パネル２，２が設けられている。この入隅部に対して、図６に示される乾式防水部材４を使用して防水施工する方法を説明する。
図６に示される乾式防水部材４は、所定幅のポリプロピレンシート５を、ゴムシート６の角部から鉛直方向に開拡するＶ字状の折れ筋１０に沿って折り曲げられてゴムシート６の隣接する辺に沿って糊代５ａで接着剤により接着して、ゴムシート６に対して立設するように形成されている。ポリプロピレンシート５の幅方向のほぼ中央部には折れ筋８が設けられており、この折れ筋８と折れ筋１０との交点からゴムシート６に向かって下方に傾斜する折れ筋１１，１１が設けられている。
上記乾式防水部材４の角部を、図７に示すように折れ筋１１に沿って内方へ折り畳むことにより、ポリプロピレンシート５の立設する部分を低くし、この状態で、のじ板３，３と外壁１，１に設けられた外壁パネル２，２の下端面との間の間隙（図５の斜線で示される部位）から乾式防水部材４を、壁面１，１と外壁パネル２，２間に介挿させる。その後、図示しないが、前記折り畳まれたポリプロピレンシート５の角部を拡げて、折れ筋１１ａが入隅部を構成する角部に沿うようにして配置し、必要に応じて乾式防水部材４を係止等して防水施工が完了する。
本実施の形態では、折れ筋１１ａを入隅部を構成する鉛直線に沿うように配置しているが、図８に示されるように、図５ののじ板３と傾斜を逆にした場合には、折れ筋１１ｂを入隅部を構成する角部に沿うように配置すれば良い。
尚、上記したポリプロピレンシートの上端部を、外壁パネル側に所定の幅で折り返して折り返し片を設けるようにすれば、壁面と外壁パネルとの間への水の浸入を折り返し片により防ぐことができ、しかも、折り返し片により乾式防水部材を係止することができる。この折り返し片の折り返し幅については特に制限はないが、例えば、１０ｍｍ程度とすることができる。
【０００９】
また、前記折り筋を形成するには、例えば、回転ローラの表面に形成される溝部とこの溝部に刃先を没入させた回転刃とにより形成される間隙にポリプロピレンシートの折り筋形成部を連続的に通過させることにより得られる。
【００１０】
前記ポリプロピレンシートにゴムシートを貼着するには、防水性に優れたブチル系粘着剤を用いて接合することが好ましい。
【００１１】
上記実施の形態では、合成樹脂シートとしてポリプロピレンシートを使用したが、これに特に制限されるものではない。また、施工性を高めるために透明性を有する合成樹脂シートを使用することが好ましい。尚、合成樹脂シートとして、ポリプロピレンシートを使用する場合には、例えば、５０モル％以上のプロピレン単位成分を有する結晶性混合物を配向させることなく無延伸状態で均一な厚みにシート化したものを使用することが好ましい。また、合成樹脂シートは、厚みを０．３〜３．０ｍｍ程度にすることが好ましい。
【００１２】
また、上記実施の形態では、可撓性を有するシートとしてゴムシートを使用したが、必ずしもこれに限定されるものでなく、例えば、塩化ビニルシート等も使用することができる。
尚、可撓性を有するシートとしてゴムシートを使用する場合は、エチレン・プロピレンゴム（ＥＰＤＭ）とブチルゴムのブレンドゴムを使用することが好ましく、これにより防水シートとして必要な優れた平滑性を備えたゴムシートが得られる。また、このゴムシートに、ゴム糊を引き布に含浸させて裏打ちして、ゴムシートと一体化することが好ましい。引き布も防水性が与えられ、防水性の高い乾式防水部材となるからである。また、更に、引き布にゴム糊が含浸されているため、引き布自体に接着性が付与され、施工部位への貼着作業が容易となる。また、前記引き布をポリエステル製の織布にすると、耐熱性に有効であり、１００℃に１０００時間養生しても寸法変化のないものとなる。
【図面の簡単な説明】
【００１３】
【図１】本発明の一実施の形態の施工方法を説明するための入隅部の模式図
【図２】本発明の一実施の形態の乾式防水部材の斜視図
【図３】同折り畳み状態を説明するための斜視図
【図４】本発明の一実施の形態の施工方法を説明するための入隅部の模式図
【図５】本発明の他の実施の形態の施工方法を説明するための入隅部の模式図
【図６】本発明の他の実施の形態の乾式防水部材の斜視図
【図７】同折り畳み状態を説明するための斜視図
【図８】同折り畳み状態を説明するための斜視図
【図９】従来の入隅部又は出隅部の説明図
【符号の説明】
【００１４】
１    外壁
２    外壁パネル
３    のじ板
４    乾式防水部材
５    ポリプロピレンシート
６    ゴムシート
７    鉛直方向の折り曲げ線
８    水平方向の折れ筋
９    Ｖ字状の折れ筋
１０    Ｖ字状の折れ筋
１１    傾斜する折れ筋
【図１】
2006219844.tif 000003
【図２】
2006219844.tif 000004
【図３】
2006219844.tif 000005
【図４】
2006219844.tif 000006
【図５】
2006219844.tif 000007
【図６】
2006219844.tif 000008
【図７】
2006219844.tif 000009
【図８】
2006219844.tif 000010
【図９】
2006219844.tif 000011